(57)【要約】【課題】液体の排出をより促進させることができるフロート式逆止弁を提供すること。【解決手段】フロート式逆止弁１は、設置対象部に上下方向に延びる状態で固定され、内部を液体が流通する円筒状の保持部材１０と、上下方向に延びる円柱状に形成され、上下方向に貫通する液体の流入孔２２ａが設けられた取付部材２２、流入孔２２ａの下端部に取り付けられた弁座２１、弁座２１の下方に設けられ、弁座２１に離着座して流入孔２２ａを開閉するフロート２６、フロート２６が収容された収容部３０を有し、保持部材１０の内部に設けられる弁機構２０とを備え、弁機構２０を回転させることによって弁機構２０が保持部材１０の内部に着脱されるように構成されると共に、取付部材２２の上面２２ｆには、外方から流入孔２２ａへ向かって下方に傾斜する傾斜面２２ｇが形成されている。【選択図】図１
2020112165.tif 000002
【特許請求の範囲】
【請求項１】
設置対象部に上下方向に延びる状態で固定され、内部を液体が流通する円筒状の保持部材と、
上下方向に延びる円柱状に形成され、上下方向に貫通する液体の流入孔が設けられた取付部材、前記流入孔の下端部に取り付けられた弁座、該弁座の下方に設けられ、前記弁座に離着座して前記流入孔を開閉するフロート、該フロートが収容された収容部を有し、前記保持部材の内部に設けられる弁機構とを備え、
前記弁機構を回転させることによって該弁機構が前記保持部材の内部に着脱されるように構成されると共に、
前記取付部材の上面には、外方から前記流入孔へ向かって下方に傾斜する傾斜面が形成されている
ことを特徴とするフロート式逆止弁。
【請求項２】
請求項１に記載のフロート式逆止弁において、
前記傾斜面は、前記流入孔の開口縁部まで延びている
ことを特徴とするフロート式逆止弁。
【請求項３】
請求項１または２に記載のフロート式逆止弁において、
前記弁機構は、前記取付部材が前記保持部材の上端から突出しないように前記保持部材の内部に設けられている
ことを特徴とするフロート式逆止弁。
【請求項４】
請求項１または２に記載のフロート式逆止弁において、
前記傾斜面は、円錐面状に形成されている
ことを特徴とするフロート式逆止弁。
【請求項５】
請求項１または２に記載のフロート式逆止弁において、
前記取付部材は、外周面に設けられた雄ねじ部を有し、
前記保持部材は、内周面に設けられ、前記弁機構を回転させることによって前記雄ねじ部と螺合する雌ねじ部を有している
ことを特徴とするフロート式逆止弁。
【請求項６】
請求項１または２に記載のフロート式逆止弁において、
前記取付部材の流入孔は、挿入し回転させることによって前記弁機構を回転させる工具の挿入孔を兼用している
ことを特徴とするフロート式逆止弁。
【請求項７】
請求項１または２に記載のフロート式逆止弁において、
前記収容部は、
前記フロートの周囲に設けられ、上下方向に延びる円筒状に形成され、周壁に内外を貫通する貫通孔が設けられた円筒部材と、
前記円筒部材の下端部に設けられ、前記フロートの下限位置を規制する底板とを有している
ことを特徴とするフロート式逆止弁。
【請求項８】
請求項６に記載のフロート式逆止弁において、
前記取付部材の流入孔は、平面視で多角形状に形成されている
ことを特徴とするフロート式逆止弁。
【発明の詳細な説明】
【技術分野】
【０００１】
本願は、フロート式逆止弁に関する。
【背景技術】
【０００２】
排水管や排水口に設けられるフロート式逆止弁が知られている。例えば特許文献１では、ドレンファンネルの排水管に設けられたフロート式逆止弁が開示されている。このフロート式逆止弁は、弁座、弁座の流通孔を開閉するフロート、フロートを収容する収容部等を有する弁機構を備えている。この弁機構は、排水管に挿入され、上側がケーシングの底部（排水管の設置面）にボルトで固定されている。このように弁機構をボルトで固定しているため、排水管から弁機構を容易に取り出すことができる。つまり、弁機構（特に、弁座やフロート）のメンテナンスが容易である。
【先行技術文献】
【特許文献】
【０００３】
【特許文献１】特開２０１３−１８５３８６号公報
【発明の概要】
【発明が解決しようとする課題】
【０００４】
ところで、上述したフロート式逆止弁では、液体の排出（排水）をより促進させたいという要望があった。
【０００５】
本願に開示の技術は、かかる事情に鑑みてなされたものであり、その目的は、液体の排出をより促進させることができるフロート式逆止弁を提供することにある。
【課題を解決するための手段】
【０００６】
本願のフロート式逆止弁は、円筒状の保持部材と、弁機構とを備えている。前記保持部材は、設置対象部に上下方向に延びる状態で固定され、内部を液体が流通するものである。前記弁機構は、取付部材、弁座、フロート、収容部を有し、前記保持部材の内部に設けられている。前記取付部材は、上下方向に延びる円柱状に形成され、上下方向に貫通する液体の流入孔が設けられている。前記弁座は、前記流入孔の下端部に取り付けられている。前記フロートは、前記弁座の下方に設けられ、前記弁座に離着座して前記流入孔を開閉する。前記収容部は、前記フロートが収容されている。
【０００７】
そして、本願のフロート式逆止弁は、前記弁機構を回転させることによって該弁機構が前記保持部材の内部に着脱されるように構成されている。さらに、前記取付部材の上面には、外方から前記流入孔へ向かって下方に傾斜する傾斜面が形成されている。
【発明の効果】
【０００８】
本願のフロート式逆止弁によれば、排水をより促進させることができる。
【図面の簡単な説明】
【０００９】
【図１】図１は、実施形態に係るフロート式逆止弁の概略構成を示す断面図である。
【図２】図２は、実施形態に係る弁機構の概略構成を示す断面図である。
【図３】図３は、実施形態に係るフロート式逆止弁を上方から視て示す平面図である。
【図４】図４は、実施形態に係るフロート式逆止弁を下方から視て示す図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
図１に示すように、本実施形態のフロート式逆止弁１（以下、単に逆止弁１とも言う。）は、地面や工場等の床面（以下、設置面１０１と言う。）に設けられた排液口１０２（または排水口）に設置される。設置面１０１に零れたり排出されたりした汚染水等の液体は、排液口１０２から排出される。
【００１２】
本実施形態の逆止弁１は、排液口１０２の内部に設けられ、上流側（設置面１０１側）からの液体の流れは許容する一方、下流側からの液体の流れ（逆流）は阻止する。図１において、上側が上流側で下側が下流側である。即ち、本実施形態では、上下流方向と上下方向とは一致している。逆止弁１は、保持部材１０と、弁機構２０とを備えている。
【００１３】
保持部材１０は、設置対象部である排液口１０２に固定され、内部を液体が流通する円筒状に形成されている。保持部材１０は、中心軸が上下方向（上下流方向）に延びる状態で設けられている。保持部材１０は、円形の排液口１０２に挿入され、例えば接着剤によって排液口１０２に固定されている。
【００１４】
保持部材１０は、上流側端である上端１３が設置面１０１と面一となるように、排液口１０２に挿入されている。保持部材１０は、上流側から順に、大径部１１および小径部１２が形成されている。大径部１１の内径は、小径部１２の内径よりも大きい。
【００１５】
図２にも示すように、弁機構２０は、弁座２１と、取付部材２２と、挟持部材２３と、フロート２６と、収容部３０とを有している。弁機構２０は、保持部材１０の内部に設けられている。なお、図２では、Ｏリング２５を省略している。
【００１６】
弁座２１は、円環状の板部材であり、液体の流通孔２１ａを有している。弁座２１は、例えば樹脂系の材料により形成されている。弁座２１は、中心軸が上下方向に延びる状態で設けられている。
【００１７】
取付部材２２は、中心軸が上下方向に延びる円柱状に形成されている。取付部材２２の中央には、上下方向に貫通する流入孔２２ａが設けられている。流入孔２２ａは、弁座２１の流通孔２１ａと同軸に設けられ、流通孔２１ａと連通している。
【００１８】
取付部材２２の下面（下流側面）には、流入孔２２ａの縁部が凹んで成る円環状の段差部２２ｂが設けられている。段差部２２ｂには、弁座２１および挟持部材２３が設けられている。弁座２１は、挟持部材２３によって流入孔２２ａの下流側端部である下端部に取り付けられている。
【００１９】
挟持部材２３は、円環状の部材であり、例えば金属製である。挟持部材２３は、中心軸が上下方向に延びる状態で設けられている。挟持部材２３は、取付部材２２の下面にねじ２４によって固定され、取付部材２２との間で弁座２１を挟持している。こうして、弁座２１が流入孔２２ａの縁部に取り付けられている。
【００２０】
なお、取付部材２２には、ねじ２４が挿入されるねじ穴２２ｄが形成されている。また、挟持部材２３の内径は、弁座２１の内径（即ち、流通孔２１ａ）よりも若干大きい。
【００２１】
フロート２６は、球状に形成されており、例えば金属製である。フロート２６は、弁座２１の下方（下流側）に設けられている。フロート２６は、弁座２１に離着座して流入孔２２ａ（流通孔２１ａ）を開閉する。つまり、フロート２６は、弁座２１から離座することで流入孔２２ａを開放し、弁座２１に着座することで流入孔２２ａを閉鎖する。フロート２６は、下流側から液体が逆流した際、液体の流れによって上昇し弁座２１に着座するように構成されている。
【００２２】
収容部３０は、弁座２１の下方（下流側）に設けられ、フロート２６を上下動自在に収容している。収容部３０は、円筒部材３１と、底板３２とを有している。
【００２３】
円筒部材３１は、フロート２６の周囲に設けられている。つまり、円筒部材３１の内部にフロート２６が設けられている。円筒部材３１は、上下方向に延びている。円筒部材３１の周壁には、内外を貫通する貫通孔３１ａが設けられている。この貫通孔３１ａは、円筒部材３１の周方向において複数設けられており、液体が流通する孔である。
【００２４】
円筒部材３１は、取付部材２２と一体形成されている。つまり、円筒部材３１の上流側端である上端は、取付部材２２の下面に接続されている。
【００２５】
底板３２は、円筒部材３１の下流側端部である下端部に設けられている。底板３２は、スナップリング３３によって円筒部材３１に固定されている。こうして配置された円筒部材３１および底板３２の内方に、フロート２６が収容されている。底板３２は、フロート２６の下限位置を規定するものである。図４にも示すように、底板３２には、複数（本実施形態では、４つ）の貫通孔３２ａが設けられている。この貫通孔３２ａは、液体が流通する孔である。
【００２６】
逆止弁１は、弁機構２０を回転させることによって弁機構２０が保持部材１０の内部に着脱されるように構成されている。
【００２７】
具体的に、取付部材２２は、外周面に設けられた雄ねじ部２２ｃを有している。保持部材１０は、内周面に設けられ、弁機構２０を回転させることによって雄ねじ部２２ｃと螺合する雌ねじ部１５を有している。より詳しくは、雌ねじ部１５は、保持部材１０における大径部１１の内周面に設けられている。
【００２８】
こうして、弁機構２０を回転させて雄ねじ部２２ｃと雌ねじ部１５とを螺合させることにより、弁機構２０が保持部材１０の内部に取り付けられる。
【００２９】
流入孔２２ａは、挿入し回転させることによって弁機構２０を回転させる工具の挿入孔を兼用している。図３に示すように、流入孔２２ａは、平面視で多角形状（本実施形態では、六角形状）に形成されている。工具（本実施形態では、六角棒スパナ（六角レンチとも言う。））を流入孔２２ａに挿入し該工具を回転させることによって、弁機構２０が回転される。こうして、弁機構２０を工具によって回転させることにより、弁機構２０を保持部材１０に着脱することができる。
【００３０】
また、取付部材２２の上面２２ｆには、外方から流入孔２２ａへ向かって下方に傾斜する傾斜面２２ｇが形成されている。つまり、傾斜面２２ｇは、取付部材２２の上面２２ｆにおいて径方向外方から流入孔２２ａへいくに従って漸次下がる面である。
【００３１】
傾斜面２２ｇは、円錐面状（テーパー状）に形成されている。図３に示すように、傾斜面２２ｇは、外郭２２ｈが円形を成しており、上面２２ｆにおいて径方向の途中から形成されている。傾斜面２２ｇは、流入孔２２ａの開口縁部まで延びている。傾斜面２２ｇは、流入孔２２ａの全周に亘って設けられている。なお、上面２２ｆにおける傾斜面２２ｇ以外の面は水平面となっている。
【００３２】
こうして、取付部材２２の上面２２ｆに傾斜面２２ｇが形成されることで、液体が流入孔２２ａへ導かれ易くなり、液体の排出が促進される。
【００３３】
また、弁機構２０は、取付部材２２が保持部材１０の上端１３から突出しないように、保持部材１０の内部に設けられている。即ち、弁機構２０は、設置面１０１から上方へ突出しないように設けられている。より詳しくは、取付部材２２の上面２２ｆは保持部材１０の上端１３（設置面１０１）より若干下方に位置している。
【００３４】
また、弁機構２０は、保持部材１０の下流側端である下端１４から突出しないように、保持部材１０の内部に設けられている。つまり、弁機構２０の全部が、保持部材１０の内部に収容されている。
【００３５】
保持部材１０の内周面には、弁機構２０の上下方向（上下流方向）の位置決めを行う段差部１６が設けられている。段差部１６は、大径部１１の内周面と小径部１２の内周面との境界に形成される段差である。弁機構２０は、取付部材２２の下面が段差部１６に接することによって、上下方向の位置決めがされる。
【００３６】
なお、本実施形態では、雌ねじ部１５の長さ（上下方向の長さ）を規定することによって、弁機構２０の上下方向の位置決めを行うようにしてもよい。
【００３７】
取付部材２２の外周面には、Ｏリング２５が設けられている。具体的に、取付部材２２の外周面には、雄ねじ部２２ｃよりも下の部分に周方向に亘って溝２２ｅが形成されている。Ｏリング２５は、溝２２ｅに嵌め込まれており、保持部材１０における大径部１１の内周面と接している。これにより、保持部材１０の内周面と弁機構２０との間がＯリング２５によってシールされる。
【００３８】
上記のように構成された逆止弁１では、液体の流れがない場合、または、上流側から液体が流入する場合、フロート２６は底板３３まで下降した状態（図１に実線で示す状態）になる。つまり、流入孔２２ａは開放された状態になる。そのため、上流側の液体は、流入孔２２ａから流入し流通孔２１ａを介して下流側に排出される。その際、上流側の液体は傾斜面２２ｇに沿って流入孔２２ａに導かれるため、液体の排出が促進される。
【００３９】
一方、下流側から液体が逆流した場合、フロート２６は液体の流れによって上昇し弁座２１に着座する（図１に二点鎖線で示す状態）。これにより、流入孔２２ａが閉鎖されるので、液体の逆流が防止される。
【００４０】
以上のように、上記実施形態の逆止弁２０では、取付部材２２の上面２２ｆに、外方から流入孔２２ａへ向かって下方に傾斜する傾斜面２２ｇが形成されている。この構成によれば、設置面１０１の液体が流入孔２２ａへ導かれ易くなるので、液体の排出を促進することができる。
【００４１】
しかも、傾斜面２２ｇは流入孔２２ａまで形成されているため、効果的に液体を流入孔２２ａへ導くことができる。
【００４２】
また、傾斜面２２ｇは円錐面状に形成されているため、例えば多角錐面状に形成する場合に比べて、取付部材２２における傾斜面２２ｇの製作加工が容易である。
【００４３】
また、上記実施形態の逆止弁１において、弁機構２０は、保持部材１０の上端１３から突出しないように保持部材１０の内部に設けられている。そのため、保持部材１０の上端１３が設置面１０１と面一となるように保持部材１０を設けた場合、弁機構２０が設置面１０１から突出することを回避することができる。これにより、例えば、弁機構２０が、設置面１０１に敷かれる配管や配線の障害物となることを避けることができる。
【００４４】
しかも、上記実施形態の逆止弁１では、取付部材２２の上面２２ｆは保持部材１０の上端１３より下方に位置している。そのため、弁機構２０が、設置面１０１の配管等の障害物となることを確実に避けることができる。
【００４５】
取付部材２２の上面２２ｆが保持部材１０の上端１３より下方に位置することから、取付部材２２の上面２２ｆに液体が滞留し易くなるが、上述したように傾斜面２２ｇが形成されているので、そのような液体の滞留を抑制ないし防止することができる。
【００４６】
また、上記実施形態の逆止弁１は、弁機構２０を回転させることによって弁機構２０が保持部材１０の内部に着脱されるように構成されている。具体的に、取付部材２２は、外周面に設けられた雄ねじ部２２ｃを有している。保持部材１０は、内周面に設けられ、弁機構２０を回転させることによって雄ねじ部２２ｃと螺合する雌ねじ部１５を有している。
【００４７】
上記の構成によれば、弁機構２０が保持部材１０に着脱可能に設けられているので、弁機構２０（特に、弁座２１およびフロート２６）のメンテナンスが容易となる。しかも、弁機構２０を回転させるだけでよいため、簡易に弁機構２０を着脱することができる。
【００４８】
また、上記実施形態の逆止弁１において、取付部材２２の流入孔２２ａは、挿入し回転させることによって弁機構２０を回転させる工具の挿入孔を兼用している。この構成によれば、弁機構２０を回転させる工具の挿入孔を別途設けなくてもよい。
【００４９】
しかも、取付部材２２の流入孔２２ａは、平面視で多角形状に形成されている。そのため、例えば六角棒スパナ等の小型で軽量な汎用工具によって弁機構２０を回転させることができる。よって、より簡易に弁機構２０を着脱することができる。
【００５０】
また、上記実施形態の逆止弁１において、収容部３０は、フロート２６の周囲に設けられ、上下方向に延びる円筒状に形成され、周壁に内外を貫通する貫通孔３１ａが設けられた円筒部材３１と、円筒部材３１の下端部に設けられ、フロート２６の下限位置を規制する底板３２とを有している。そのため、フロート２６を収容しつつも、液体を貫通孔３１ａからも流すことができる。よって、液体の排出量を稼ぐことができる。
【００５１】
（その他の実施形態）
本願に開示の技術は、上記実施形態の逆止弁１において以下のような構成としてもよい。
【００５２】
例えば、傾斜面２２ｇの形状は、円錐面状に限らず、多角錐面状や、凹状の円弧面に形成するようにしてもよい。
【００５３】
また、上記実施形態では、取付部材２２の上面２２ｆの一部を傾斜面２２ｇとしたが、上面２２ｆの全体を傾斜面とするようにしてもよい。
【００５４】
また、上記実施形態では、弁機構２０0を回転させることによって弁機構２０が保持部材１０の内部に着脱される構成として、互いに螺合する雌ねじ部１５および雄ねじ部２２ｃを備えるようにしたが、これに代えて次のようにしてもよい。弁機構を回転させることによって、互いに噛み合う突起およびスリットを設けるようにしてもよい。つまり、例えば、保持部材の内周面および取付部材の外周面のうち、一方に周方向に延びるスリットを設け、他方に突起を設ける。
【００５５】
また、上記実施形態において、取付部材の流入孔の形状は、六角形以外の多角形であってもよいし、楕円形であってもよい。つまり、流入孔を工具の挿入孔として兼用する場合、流入孔の形状は、工具を挿入して弁機構を回転させることができるものであれば如何なる形状であってもよい。
【００５６】
また、取付部材の流入孔を工具の挿入孔として兼用しない場合、流入孔の形状は円形にしてもよい。
【産業上の利用可能性】
【００５７】
以上のように、本願に開示の技術は、フロート式逆止弁について有用である。
【符号の説明】
【００５８】
１        フロート式逆止弁
１０      保持部材
１３      上端
１５      雌ねじ部
２０      弁機構
２１      弁座
２２      取付部材
２２ａ    流入孔
２２ｃ    雄ねじ部
２２ｆ    上面
２２ｇ    傾斜面
２６      フロート
３０      収容部
３１      円筒部材
３１ａ    貫通孔
３２      底板
【図１】
2020112165.tif 000003
【図２】
2020112165.tif 000004
【図３】
2020112165.tif 000005
【図４】
2020112165.tif 000006